(57)【要約】【課題】下地材に対して挟み付けて固定する基台部材と、基台部材の上に立設される金具本体を有する屋根板取り付け金具において、組み立て性を向上するとともに、高い荷重支持能力を得る。【解決手段】基台部材３１の上の金具本体５１に、上端部に屋根板を直接受ける屋根板受け部５５を有する起立片５２と、起立片５２における屋根板の勾配方向の両端縁で屋根板の勾配方向と直交する互い違いの方向に延びて、下端部が基台部材３１に固定される２枚の支持片５３，５４を備える。屋根板受け部５５と同じ方向に延びる支持片５３の上端部には、屋根板受け部５５に接触する補強部６５を備える。金具本体５１を１個の部材で構成することで基台部材３１に対する組み立て性を向上し、支持片５３に補強部を備えることで耐荷重性を向上する。【選択図】図１
2016079786.tif 000002
【特許請求の範囲】
【請求項１】
下地材または該下地材に固定される基台部材の上に立設されて上端部に屋根板を固定する起立片と、該起立片における前記屋根板の勾配方向の両端縁で前記屋根板の勾配方向と直交する互い違いの方向に延びて、下端部が前記下地材又は前記基台部材に固定される２枚の支持片を有した屋根板取り付け金具であって、
少なくとも一方の前記支持片の上端部に、前記屋根板を直接又は間接に受ける受圧部に接触する補強部を有する
屋根板取り付け金具。
【請求項２】
前記支持片が、前記起立片よりも幅狭で前記起立片の起立方向に沿って同一幅に形成された
請求項１に記載の屋根板取り付け金具。
【請求項３】
前記支持片が前記起立片を構成する材料を折り曲げ部を介して折り曲げて形成されるとともに、
前記補強部が、前記折り曲げ部を介して前記起立片と一体である
請求項１または請求項２に記載の屋根板取り付け金具。
【請求項４】
前記支持片の下端部に、前記下地材又は前記基台部材に面接触して固定される接地固定片を有する
請求項１から請求項３のうちいずれか一項に記載の屋根板取り付け金具。
【請求項５】
前記接地固定片が、前記起立片の存在する側に折り曲げ形成されたものである
請求項４に記載の屋根板取り付け金具。
【請求項６】
請求項１から請求項５のうちいずれか一項に記載の屋根板取り付け金具を用いた
屋根。
【発明の詳細な説明】
【技術分野】
【０００１】
この発明は、屋根板をＨ鋼などの下地材の上に固定するための屋根板取り付け金具に関し、より詳しくは、高い強度を得られるような屋根板取り付け金具に関する。
【背景技術】
【０００２】
屋根板取り付け金具は、下地材に固定して使用されるが、下地材に対して溶接により固定することは、高所での作業ゆえ、煩雑で作業性がよくない。
【０００３】
このため、下地材に対する固定に溶接を不要とする、下記特許文献１、２のような屋根板取り付け金具を提案してきた。
【０００４】
これらの屋根板取り付け金具は、下地材に対して挟み付けて固定する基台部材と、この基台部材の上に立設される金具本体で構成されている。基台部材は上面が平らであり、この平らな部分に金具本体の下端の取り付け板が固定される。
【０００５】
金具本体は、縦長板状で、上端に受け板を有する同一形状の２枚の接合部材を背中合わせに接合して構成されている。２枚の接合部材の面方向は屋根の勾配方向と同じで、接合部材間の上端部に、屋根板を係止するための吊子が保持される。
【０００６】
このような構成の屋根板取り付け金具は、２枚の接合部材が互いに接合されているので、十分な強度が得られる。
【０００７】
しかしながら、組み立てに際しては別体の接合部材をそれぞれ基台部材に対して固定するので、作業性がよくない。
【０００８】
このための対策として、金具本体を１個の部材で構成することが考えられる。下記特許文献３には、ノン溶接タイプではなく下地材に直接、溶接して固定するものであるが、金具本体における屋根の勾配方向の両端に、互い違いの方向に延びるブラケットを折り曲げ形成した屋根板取り付け金具が開示されている。金具本体の上端には、屋根板を受けるべく屋根の勾配方向にならべて互い違いに方向延ばして形成された２枚の支持片を有する。
【０００９】
ブラケットは、金具本体の曲りやねじれに対する強度を高めるためのもので、金具本体の高さ方向の中間部より下に、下側ほど幅広となる台形状に形成されている。またブラケットは、近くに形成されている支持板とは逆の向きに延びている。そのうえ、ブラケットの下端には、下地に固定するための取り付け座が外向きに形成されている。
【００１０】
特許文献３の屋根板取り付け金具によれば、金具本体の取り付け安定性は得られるものの、取り付けた屋根板からかかる荷重はあくまでも金具本体の上部の、一枚の板状の部分で支持しなければならない。
【００１１】
また、ブラケットは下側ほど延びる台形状であるうえに、ブラケットの突出向きは近く支持片と逆であるので、屋根板取り付け金具は嵩張る形状である。このため、保管や輸送に場所を取る難点があり、取扱い性が悪く、施工作業の効率がよくなかった。しかも、固定には広い面積を必要とするため、下地材に対して直接、溶接なしで固定する金具を構成する場合にはよいが、特許文献１、２のように基台部材の上に組み付けて構成する金具とする場合には、基台部材が大きくならざるを得ず、特許文献３のような構成は採用しにくい。
【先行技術文献】
【特許文献】
【００１２】
【特許文献１】実開平７−２１８６１号公報
【特許文献２】実開平７−２６４４６号公報
【特許文献３】実開平４−６８１２４号公報
【発明の概要】
【発明が解決しようとする課題】
【００１３】
そこで、この発明は、組み立て性がよい構成でありながらも、高い荷重支持能力を有するようにすることを主な目的とする。
【課題を解決するための手段】
【００１４】
そのため手段は、下地材または該下地材に固定される基台部材の上に立設されて上端部に屋根板を固定する起立片と、該起立片における前記屋根板の勾配方向の両端縁で前記屋根板の勾配方向と直交する互い違いの方向に延びて、下端部が前記下地材又は前記基台部材に固定される２枚の支持片を有した屋根板取り付け金具であって、少なくとも一方の前記支持片の上端部に、前記屋根板を直接又は間接に受ける受圧部に接触する補強部を有する屋根板取り付け金具である。
【００１５】
この屋根板取り付け金具では、支持片が起立片の起立状態を支えるとともに、支持片の補強部が受圧部に接触して受圧部にかかる荷重を支持する。
【発明の効果】
【００１６】
この発明によれば、支持片が起立片を支える上に、支持片の補強部が受圧部に接触して補強するので、高い荷重支持能力をもたせることができる。
【図面の簡単な説明】
【００１７】
【図１】屋根板取り付け金具の斜視図。
【図２】屋根板取り付け金具と下地材の斜視図。
【図３】屋根板取り付け金具の分解斜視図。
【図４】屋根板取り付け金具の下地材に対する固定状態を示す断面図。
【図５】屋根板取り付け金具の正面図。
【図６】屋根板取り付け金具の背面図。
【図７】屋根板取り付け金具の金具本体の横断面図。
【図８】屋根板取り付け金具の要部の側面図。
【図９】屋根板取り付け金具の固定状態を示す断面図。
【図１０】他の例に係る屋根板取り付け金具の斜視図。
【図１１】図１０の要部の分解斜視図。
【図１２】他の例に係る屋根板取り付け金具の斜視図。
【図１３】他の例に係る屋根板取り付け金具の斜視図。
【図１４】他の例に係る屋根板取り付け金具の斜視図。
【発明を実施するための形態】
【００１８】
この発明を実施するための一形態を、以下図面を用いて説明する。  
図１は、屋根板取り付け金具１１（以下「金具」という）の斜視図であり、この金具１１は、屋根板（図示せず）を係止する吊子１２を上端部に取り付けて使用される。
【００１９】
吊子１２は、図１に示したようないわゆる角ハゼタイプのもののほか、仮想線で示したような丸ハゼタイプのものでよく、吊子１２には様々な形状のものを使用できる。図１に示した吊子１２は、固定に供する固定部１２ａが縦に広がる面を有し、固定部１２ａに形成された貫通穴１２ｂに横方向に挿入する根角ボルト１３、これに挿嵌されるワッシャ１４及びスプリングワッシャ１５と、根角ボルト１３に螺合するナット１６で固定される。吊子１２には補助部材１７を添わせる。補助部材１７は、取り付ける屋根板を受ける受け部１７ａを有する正面視略Ｌ字状である。補助部材１７は、受け部１７ａのない板状であってもよく、また省略することもできる。
【００２０】
金具１１は、図２に示したように、下地材としてのＨ鋼１８に固定されるもので、Ｈ鋼１８に固定される基台部材３１と、この基台部材３１の上に固定される金具本体５１を有する。
【００２１】
基台部材３１は、図３に示したように、上金具３２と下金具３３で構成される。
【００２２】
上金具３２は正面視横コ字状で、上面に所定幅でＨ鋼１８の幅よりも長い平面視長方形状の平板部３２ａを有し、平板部３２ａの両側縁に垂下片部３２ｂを有する。垂下片部３２ｂの高さは、金具本体５１を固定可能とするとともに、必要な強度を得られる高さである。垂下片部３２ｂのうち、長手方向の一端部、具体的には屋根の勾配方向下側に対応する部位に、Ｈ鋼１８の上のフランジ１９における屋根の勾配方向下側に対応する端縁１９ａに係止するフック状の係止部３４が形成されている（図２参照）。係止部３４は側面視逆Ｌ字形で、Ｈ鋼１８のフランジ１９に対して外側から内側に移動させることで係止する。
【００２３】
平板部３２ａの長手方向の中間部には、金具本体５１を固定するための２個の貫通穴３５が形成されている。
【００２４】
平板部３２ａの長手方向の他端部、具体的には屋根の勾配方向上側に対応する部位には、下金具３３を取り付けるための長穴３６が形成されている。長穴３６は、平板部３２ａの幅方向の中間に、平板部３２ａの長手方向にのびるものである。この長穴３６の長手方向の両端に臨む部位には、上金具３２の他端部の形態を保持するための膨出リブ３７と折り曲げリブ３８が形成されている。膨出リブ３７は、長穴３６と貫通穴３５の間の位置に、平板部３２ａの幅方向に延びる形状で、上に突出している。折り曲げリブ３８は、平板部３２ａの他端縁を上に折り返して形成されている。
【００２５】
下金具３３は、上金具３２と同じく正面視横コ字形で、上面に所定幅の平板部３３ａを有し、平板部３３ａの両側縁に垂下片部３３ｂを有し、上金具３２の内側に嵌合対応する大きさである。上金具３２の長手方向に対応する方向の長さは、上金具３２の長さの半分以下であり、屋根の勾配方向上側対応する他端部に、Ｈ鋼１８のフランジ１９における屋根の勾配方向下側に対応する端縁１９ｂに係止するフック状の係止部３９が形成されている（図２参照）。この係止部３９も側面視Ｌ字状で、Ｈ鋼１８のフランジ１９に対して外側から内側に移動させることで係止する。
【００２６】
係止部３９を含む下金具３３の高さは、上金具３２の下に収めたときに上金具３２の平板部３２ａが水平または略水平になる高さである。
【００２７】
下金具３３の平板部３３ａの中央には、上金具３２の長穴３６に貫通するボルト４０が立設されている。このボルト４０には、ワッシャ４１及びスプリングワッシャ４２が挿嵌され、ナット４３が螺合される。
【００２８】
平板部３３ａにおけるボルト４０を屋根の勾配方向で挟む位置には、下に向けて突出する膨出リブ４４が形成されている。
【００２９】
図４は基台部材３１をＨ鋼１８のフランジ１９に固定した状態の断面を示している。固定に際しては、基台部材３１の上金具３２の係止部３４と下金具３３の係止部３９をフランジ１９に係止し、上金具３２と下金具３３の係止部３４，３９でＨ鋼１８のフランジ１９をフランジ１９の幅方向に挟み込んだ状態で下金具３３のボルト４０に螺合したナット４３を締め付けると、下金具３３が上に引き付けられ、下金具３３の係止部３９と上金具３２の垂下片部３２ｂがＨ鋼１８のフランジ１９を挟持し、基台部材３１の固定状態が得られる。
【００３０】
金具本体５１は、図１に示したように、基台部材３１の上に立設されて上端部に屋根板を固定すべく吊子１２を固定する起立片５２と、起立片５２における屋根板の勾配方向の両側縁で屋根板の勾配方向と直交する互い違いの方向に延びて、下端部が基台部材３１に固定される２枚の支持片５３，５４を有している。起立片５２と支持片５３，５４は、１枚の板材を折曲して形成されている。
【００３１】
起立片５２は適宜幅に形成され、下から上まで同一幅で延びる略長方形板状である。起立片５２の面方向は、屋根の勾配方向と同じである。
【００３２】
起立片５２の上端には屋根板を受ける屋根板受け部５５が形成されている。屋根板受け部５５は、屋根板を直接受ける受圧部である。この屋根板受け部５５は、起立片５２の下から上に延びる部分と同一幅で、屋根板の葺成方向前段側に曲げて形成されている。屋根板の葺成方向前段側とは、屋根板が屋根の勾配方向下側から見て左側から順に葺成されるものであるため、屋根の勾配方向下側、つまり正面から見て左側を意味する。図示例の屋根板受け部は、上へ凸に屋根の勾配方向に沿って湾曲して形成した例を示している。
【００３３】
起立片５２の上部、屋根板受け部５５の下方位置には、吊子１２を取り付けるための角穴５６が形成されている。
【００３４】
支持片５３，５４は、起立片５２における屋根の勾配方向の両端縁、つまり勾配方向上側と勾配方向下側に形成され、勾配方向上側の支持片５３は、起立片５２の屋根板受け部５５と同じ、屋根板の葺成方向前段側に延びている。勾配方向下側の支持片５４は、屋根板の葺成方向後段側、つまり正面から見て右側に延びている。図５は金具１１を正面から見た状態、図６は金具１１を背面から見た状態である。
【００３５】
支持片５３，５４の幅は、起立片５２よりも幅狭である。起立片５２の起立方向に沿って、下から上まで同一幅である。支持片５３，５４は２枚あるが、これらの幅は同一である。また、図５、図６に示したように、左右に延びる支持片５３，５４を有した金具本体５１の幅は、基台部材３１の幅と同一である。
【００３６】
金具本体１１の長手方向中間部位の横断面を示すと図７に示したとおりで、支持片５３，５４は起立片５２を構成する材料を折り曲げ部５７を介して折り曲げて形成されている。具体的には、屋根の勾配方向に延びる起立片５２の両側縁に、折り曲げ部５７を介して２枚の支持片５３，５４が互い違いの方向に延びており、支持片５３，５４の先端は、基台部材３１の上金具３２の側面と面一になる。
【００３７】
支持片５３，５４の下端部には、基台部材３１の上面、つまり上金具３２の平面部３２ａに面接触する接地固定片５８が、折り曲げにより形成されている。接地固定片５８は支持片５３，５４と同一幅で方形に形成され、起立片５２の存在する側（内側）に折り曲げられている。このため、接地固定片５８の起立片５２側の辺は起立片５２に接触している。
【００３８】
接地固定片５８は、図３に示したように、中央に角穴５８ａを有しており、基台部材３１の上金具３２に対して固定するための根角ボルト６０を挿通可能にしている。図３中、６１はワッシャ、６２はスプリングワッシャ、６３はナットである。
【００３９】
このような２枚の支持片５３，５４のうち、屋根の勾配方向上側の支持片５３は、図８に示したように、屋根板受け部５５に下から接触して支える長さである。つまり、支持片５３の上端部が受圧部に接触する補強部６５である。前述のように支持片５３は起立片５２を構成する板材を折り曲げ部５７（図７参照）を介して折り曲げて形成されているため、補強部６５は折り曲げ部５７を介して起立片５２と一体である。
【００４０】
支持片５３，５４のうち屋根の勾配方向下側の支持片５４は、起立片５２の吊子１２を取り付けるための角穴５６位置よりもやや下までの高さに設定されている。これは、図１に示したように固定部１２ａが幅広の形状の吊子１２を固定するのに干渉を防止するためである。
【００４１】
吊子１２の固定部１２ａが、図９に示したように起立片５２の幅に収まる形態のものである場合には、屋根の勾配方向下側の支持片５４を起立片５２の上端まで延ばすことができる。
【００４２】
以上のような構成の金具１１は、図１に示したように、基台部材３１の上金具３２に対して金具本体５１を根角ボルト６０とナット６３等で固定し、上金具３２にはナット４３等を用いて下金具３３を保持し、使用に供する。金具本体５１の固定は、上金具３２に対して固定する部材が１個であるので、組み立て作業は容易に行える。複数の部材をそれぞれに固定する場合と違い、正確な固定状態を得ることもできる。
【００４３】
また、金具本体５１は、起立片５２の上端に１個の屋根板受け部５５を有する細長い形状であり、屋根板受け部５５の下に一方の支持片５３が収まっている。起立片５２の両端縁の支持片５３，５４は、起立片５２よりも幅狭で起立片５２の起立方向に沿って同一幅である。そのうえ２枚の支持片５３，５４の下端の接地固定片５８が内側に向いている。このため、金具本体５１は嵩張らないコンパクトな形状である。
【００４４】
このため、金具本体５１の管理や組み立てにおける取扱い性がよい。しかも、基台部材３１の上に体裁よく収まるので、溶接なしで下地材に固定できる金具とする場合に、基台部材３１の大型化を回避できる。特に、接地固定片５８を内側に向けているので、基台部材３１を下地材に固定するための下金具３３の取り付けや上金具３２の補強構造の形成の妨げとなるようなことも回避できる。
【００４５】
金具１１をＨ鋼１８に固定し、屋根板を取り付ける場合には、支持片５３，５４のうち、屋根板の勾配方向上側の支持片５３を屋根板受け部５５と同じ屋根板の葺成方向前段側に延ばし、支持片５３，５４のうち、屋根板の勾配方向下側の支持片５４を屋根板の葺成方向後段側に延ばしているので、吊子が角ハゼで、屋根板の取り付けに際して吊子の取り付けを行う必要がある場合でも、締め付け作業する側に支持片５４が存在しないので、作業性がよい。
【００４６】
金具１１の使用時においては、金具１１の支持片５３，５４が起立片５２の起立状態を屋根の勾配方向にも、勾配方向と直交する方向にも支える。このため、起立片５２の起立状態を強力に維持できる。そのうえ、支持片５３の補強部６５が受圧部である屋根板受け部５５に下から接触して支え、屋根板受け部５５にかかる荷重を支持する。この補強部６５は、支持片５３が起立片５２を構成する材料を折り曲げ部５７を介して折り曲げて形成されるのと同じで、折り曲げ部５７を介して起立片５７と一体であるので、補強部６５の強度は高い。また、支持片５３，５４は、下端部の接地固定片５８で、基台部材３１に面接触して強固に固定される。
【００４７】
このため、屋根板受け部５５が屋根板から受ける荷重を屋根板受け部５５や屋根板受け部５５に近い部分だけで支持するのではなく、Ｈ鋼１８に近い基台部材３１に荷重を伝達して強力に支持することができる。この結果、高い荷重支持能力を有する金具１１となる。
【００４８】
加えて、基台部材３１の上金具３２における下金具３３を取り付ける部分には、膨出リブ３７と折り曲げリブ３８を有して、上金具３２の形状を強力に保持できるようにしているので、Ｈ鋼１８に対する強固な固定状態を得られることはもちろんのこと、上金具３２が変形して金具本体５１の固定状態に悪影響が及ぶことを回避できる。このことからも、荷重支持能力の高い良好な金具１１を得ることができる。
【００４９】
以下、その他の例を説明する。この説明において、前述の構成と同一または類似する部位については同一の符号を付してその詳しい説明を省略する。
【００５０】
図１０に示した金具１１は、吊子１２の固定部１２ａが前述のような垂直ではなく水平となる形状の場合に適した金具１１ある。
【００５１】
すなわち、金具本体５１の起立片５２には吊子固定用の角穴５６（図１参照）を形成せずに、起立片５２の上部における屋根板受け部５５と反対側の面に、吊子受け部６６を備えている。吊子受け部６６は、屋根板に係る荷重を、吊子１２を介して間接に受ける受圧部である。
【００５２】
吊子受け部６６は、図１１に示したように、正面視逆Ｌ字形をなす吊子受け金具６６ａをリベット６７等で一体に固定して形成する。図１１中、５２ａはリベット６７挿入用の貫通穴である。
【００５３】
吊子受け金具６６ａの固定に際し、図１０に示したように、吊子受け部６６を屋根の勾配方向下側の支持片５４に面接触させる。吊子受け金具６６ａの上面中央には、吊子固定用のボルト６８が立設されている。吊子受け金具６６ａの縁の折り返しは、補強用の折り返し部６６ｂである。
【００５４】
支持片５３，５４のうち屋根の勾配方向上側の支持片５３は前述と同じで屋根板受け部５５を支える。同様に、屋根の勾配方向下側の支持片５４は、吊子受け部６６に横から接触して吊子受け部６６を支える。
【００５５】
このような構成の金具１１は、前述と同様に高い荷重支持能力を有する。特に、受圧部（屋根板受け部５５，吊子受け部６６）を支える補強部６５を左右両側に有するので、より一層強度を高めることができる。
【００５６】
吊子１２の固定部１２ａの形状が、図１２に示したように起立片５２と同様に細い形状の場合には、吊子受け部６６側に延びる支持片５４を起立片５２の上端高さまで延ばすことができる。
【００５７】
図１３に示した金具１１は、起立片５２の上端の屋根板受け部５５を平らに形成した例である。角には補強用のリブ５５ａが形成されている。
【００５８】
図１４に示した金具１１は、吊子受け部６６に接触する補強部６５を、吊子受け金具６６ａに横から接触する縦面部６５ａと、下から接触する横面部６５ｂを有するものである。補強部６５が吊子受け部６６に対して横から接触するだけでなく下からも支えるので、より強固な取り付け状態が維持できる。
【００５９】
吊子受け部６６は、起立片５２を折り曲げて、起立片５２と同一材料で一体に形成してもよい。
【００６０】
この発明の構成と、前述の一形態の構成との対応において、  
この発明の下地材は、前述のＨ鋼１８に対応し、  
同様に、  
受圧部は、屋根板受け部５５、吊子受け部６６に対応するも、  
この発明は前述の構成のみに限定されるものではなく、その他の構成を採用することができる。
【００６１】
たとえば、金具１１は、基台部材３１なしで金具本体５１のみで構成して、下地材に直接、溶接により固定して使用するものであってもよい。この場合には、接地固定片５８を外側に折り曲げて形成するのが好ましい。
【００６２】
補強部６５は、吊子受け部６６を支持するもののみとすることもできる。
【００６３】
下地材はＨ鋼１８のほかの鋼材などであってもよく、基台部材３１は下地材の形状に合わせて適宜構成される。
【符号の説明】
【００６４】
１１…屋根板取り付け金具
１８…Ｈ鋼
３１…基台部材
５２…起立片
５３，５４…支持片
５５…屋根板受け部
５７…折り曲げ部
５８…接地固定片
６５…補強部
６６…吊子受け部
【図１】
2016079786.tif 000003
【図２】
2016079786.tif 000004
【図３】
2016079786.tif 000005
【図４】
2016079786.tif 000006
【図５】
2016079786.tif 000007
【図６】
2016079786.tif 000008
【図７】
2016079786.tif 000009
【図８】
2016079786.tif 000010
【図９】
2016079786.tif 000011
【図１０】
2016079786.tif 000012
【図１１】
2016079786.tif 000013
【図１２】
2016079786.tif 000014
【図１３】
2016079786.tif 000015
【図１４】
2016079786.tif 000016